(57)【要約】  【課題】  経済的かつ故障の少ない方法で、フレームの断熱性能も高めるように改良したガラス扉、及び、そのようなガラス板を備えた冷蔵ショーケースを提供する。  【解決手段】  冷蔵ショーケース用ガラス扉１０は、高断熱性のガラス板２０と、その周囲に配設されたガラスフレーム３０と、フレームを開閉自在に保持する扉枠６０と、を備える。ガラスフレーム３０は、金属性の強度保持部材３３と、強度保持部材の庫外の正面部分を覆う樹脂製カバー３１と、庫内の正面部分を覆う樹脂カバー３７を有する。さらに、扉枠６０にはヒータ７５が備えられている。【選択図】  図１
2007178032.tif 000002
【特許請求の範囲】
【請求項１】
高断熱性のガラス板と、その周囲に配設されたガラスフレームと、該フレームを開閉自在に保持する扉枠と、を備え、冷却された商品貯蔵庫を有するショーケース用のガラス扉であって、
前記ガラスフレームが、
金属性の強度保持部材と、
該強度保持部材の庫外の正面部分を覆う樹脂製カバーと、
を有することを特徴とする冷蔵ショーケース用ガラス扉。
【請求項２】
さらに、前記ガラスフレームが、前記強度保持部材の庫内側の面を覆う樹脂製カバーを有することを特徴とする請求項１記載の冷蔵ショーケース用ガラス扉。
【請求項３】
前記扉枠が、前記ガラスフレームが当てられるフレーム受部と、構造体に固定され、前記ガラス扉の強度保持部材の端面に対向する周枠部とからなり、
前記フレーム受部内の、前記周枠部に近い部分にヒータが備えられていることを特徴とする請求項１又は２記載の冷蔵ショーケース用ガラス扉。
【請求項４】
前記ガラス扉が、上下二段に分割されていることを特徴とする請求項１〜３いずれか１項記載の冷蔵ショーケース用ガラス扉。
【請求項５】
前記高断熱性のガラス板が、複層ガラスであることを特徴とする請求項１〜４いずれか１項記載の冷蔵ショーケース用ガラス扉。
【請求項６】
高断熱性のガラス板と、その周囲に配設されたガラスフレームと、該フレームを開閉自在に保持する扉枠と、を備えるガラス扉を備える冷却された商品貯蔵庫を備える冷蔵ショーケースであって、
前記ガラスフレームが、
金属性の強度保持部材と、
該強度保持部材の庫外の正面部分を覆う樹脂製カバーと、
を有することを特徴とする冷蔵ショーケース。
【発明の詳細な説明】
【技術分野】
【０００１】
本発明は、商品貯蔵庫の前面の開口を開閉するガラス扉を備えるタイプの冷蔵ショーケースに関する。また、そのような冷蔵ショーケース用のガラス扉に関する。特には、結露を有効に防止できるように改良を加えた冷蔵ショーケース用のガラス扉に関する。
【背景技術】
【０００２】
スーパーマーケットやコンビニエンスストア等においては、飲料や、冷蔵食品、冷凍食品などを、冷蔵または冷凍ショーケースに貯蔵して販売している。このようなショーケースとしては、貯蔵庫の前面（店舗側）の開口が透明なガラス扉のリーチインショーケースが広く使用されている。貯蔵する商品が飲料や冷蔵食品の場合、貯蔵庫内の温度は約５℃に保たれ、冷凍食品やアイスクリームの場合は、約−２０℃に保たれている。
【０００３】
貯蔵庫内がこのような低温に保たれると、この冷気に触れるガラス扉も冷却されることになる。そして、冷却されたガラス扉に庫外（店舗内）の暖かい空気が接触して、その空気が露点に達しガラス扉に結露が発生してしまう。このような結露は、ガラス面だけでなく、ガラス面の周縁のフレームにも発生する。このようなフレームは通常アルミニウムで作製されている。アルミニウムは熱伝導性が高いため、庫内の冷熱が特に伝わりやすく、結露も発生しやすい。このような結露が発生すると、貯蔵庫内が見え難くなるとともに、ガラス扉に触れると手や衣服に水滴が付いたりして好ましくない。
【０００４】
そこで、ガラス面にヒータをコーティングしたり、フレームにもヒータを内蔵させて、ガラス面やフレームの断熱性を高める対策がとられている。しかし、このようなヒータを作動させると、ショーケース自体の消費電力が増えてしまう。また、扉の開閉に対応したヒータの作動制御なども複雑になる。
【０００５】
一方、高い断熱性を有する複層ガラスを用いたガラス扉を備えたショーケースも提案されている（例えば、特許文献１参照）。複層ガラスとは、２枚の透明なガラス板をスペーサを介して対向させ、周縁部を密封してガラス間に密閉空間を形成したものであり、密閉空間が熱の移動を防ぐため高い断熱性能を有することが知られている（例えば、特許文献２参照）。
【０００６】
特許文献１記載の複層ガラス使用のショーケースにおいては、複層ガラスとして、２枚のガラス板を、乾燥剤入りのスペーサとともに、熱伝導性の低い合成樹脂性の介装体を介して対向させるように構成して、庫内側のガラス板から庫外側のガラス板への冷熱の伝導を防止している。
【０００７】
【特許文献１】特開２００４−３１６９４５
【特許文献２】特開２００３−２１２６１１
【発明の開示】
【発明が解決しようとする課題】
【０００８】
このように、特許文献１記載のガラス扉においては、断熱性能を高めるように改良を施した複層ガラスを用いて、ガラス面への結露発生を抑えている。しかし、ガラス扉のフレームにおいては、十分な断熱性能を持たせるような構造とはなっていない。つまり、このフレームはアルミニウム製の角筒状の枠部材からなり、中空部に断熱材（もしくは空気）が充填されているが、枠部材自体は庫内の冷気に触れる構造となっている。すると、アルミニウムの高い熱伝導特性により、枠部材の庫外側の部分も冷たくなってしまい、同部分に結露が生じるおそれがある。
【０００９】
本発明は上記の問題点に鑑みてなされたもので、高断熱性能のガラス板を使用してガラス板の断熱性能を高めるとともに、経済的かつ故障の少ない方法で、フレームの断熱性能も高めるように改良したガラス扉、及び、そのようなガラス板を備えた冷蔵ショーケースを提供することを目的とする。
【課題を解決するための手段】
【００１０】
本発明の冷蔵ショーケース用ガラス扉は、  高断熱性のガラス板と、その周囲に配設されたガラスフレームと、該フレームを開閉自在に保持する扉枠と、を備え、冷却された商品貯蔵庫を有するショーケース用のガラス扉であって、  前記ガラスフレームが、  金属性の強度保持部材と、  該強度保持部材の庫外の正面部分を覆う樹脂製カバーと、を有することを特徴とする。
【００１１】
本発明によれば、高断熱性のガラス板を使用するとともに、強度保持部材の庫外側正面部分を熱伝導性の低い樹脂製のカバーで覆ったので、ガラス板及びフレームの庫外側の正面部分への結露の発生を抑えることができる。そして、ガラス板を加熱するためのヒータを省略することもできるので、省エネを実現できる。従来のようにガラス板やフレームにヒータを設けた場合は、可動部（ガラス板やフレーム）と固定部（扉枠等に設けられた電源）間のヒータ給電線の結線部に、トラッキングや、繰り返し開閉による線切れなどの故障が発生することがあったが、可動部にヒータがないタイプのものでは、そのような不具合も解消される。
【００１２】
本発明においては、  さらに、前記ガラスフレームが、前記強度保持部材の庫内側の面を覆う樹脂製カバーを有することが好ましい。
【００１３】
本発明によれば、強度保持部材の庫内側の面も断熱性の高い樹脂製カバーで覆うことにより、強度保持部材が庫内の冷気に触れ難くなる。このため、強度保持部材の冷却を防ぐことができ、ガラスフレームを通じた熱伝導をさらに減らして、ガラスフレームの庫外側正面部分への結露の発生をさらに効果的に防ぐことができる。
【００１４】
さらに、本発明においては、  前記扉枠が、前記ガラスフレームが当てられるフレーム受部と、構造体に固定され、前記ガラス扉の強度保持部材の端面に対向する周枠部とからなり、  前記フレーム受部内の、前記周枠部に近い部分にヒータが備えられていることが好ましい。
【００１５】
本発明によれば、周枠部に近い部分にヒータを設けて、このヒータで周枠部を加熱するので、同部の結露を防止できる。また、加熱された空気が、周枠部に対向するガラス扉の強度保持部材の端面に触れることにより、強度保持部材の温度低下を補うことができるという効果も期待できる。なお、本発明においては、ヒータを固定部（扉枠）に設けているので、ヒータ給電線の結線に従来のような不具合は生じ難い。
【００１６】
さらに、本発明においては、  前記ガラス扉が、上下二段に分割されていることとできる。
【００１７】
本発明によれば、扉開放時に庫内の冷却空気の放出を抑えることができ、冷却装置の省エネ化に効果がある。
【００１８】
さらに、本発明においては、前記高断熱性のガラス板が、複層ガラスであることが好ましい。
【００１９】
複層ガラスは高い断熱性能を有することが知られているので、ヒータを使用せずにガラス面への結露の発生を防止することができる。
【００２０】
本発明の冷蔵ショーケースは、  高断熱性のガラス板と、その周囲に配設されたガラスフレームと、該フレームを開閉自在に保持する扉枠と、を備えるガラス扉を備える冷却された商品貯蔵庫を備える冷蔵ショーケースであって、  前記ガラスフレームが、  金属性の強度保持部材と、  該強度保持部材の庫外の正面部分を覆う樹脂製カバーと、を有することを特徴とする。
【００２１】
本発明によれば、ガラス扉の庫外側正面（ガラス板及びフレーム）への結露の発生を抑えた冷蔵ショーケースを提供できる。さらには、ガラス扉側にヒータを設けないようにすることもできるため、ヒータ給電線の故障を軽減でき、省エネ効果も期待できる。
【発明の効果】
【００２２】
以上の説明から明らかなように、本発明によれば、ガラス板やフレームの庫外側正面への結露の発生を抑えたガラス扉を提供できる。そして、そのようなガラス扉を使用することにより、庫外側正面への結露の発生が抑えられ、ガラス面の曇りや水滴の付着などの不具合のない冷蔵ショーケースを提供できる。さらには、ガラス扉側にヒータを設けていないため、ヒータ給電線の故障等を抑え、省エネ効果も期待できる。
【発明を実施するための形態】
【００２３】
以下、本発明の実施の形態について、図面を参照しながら詳細に説明する。
まず、本発明の実施の形態に係るショーケースの全体構造を説明する。
図２は、本発明の実施の形態に係る冷蔵ショーケースの全体構成を示す正面図である。同図において、図の右半分のガラス扉は省略されている。この例では、スーパーマーケットやコンビニエンスストアの壁面に据え付けられたリーチイン冷蔵ショーケースについて説明する。
この冷蔵ショーケース１は、前面（店舗側の面）が開口した縦長の直方体状の貯蔵庫３を有する。貯蔵庫３内には、種々の商品が陳列される複数の棚５が設けられている。貯蔵庫３の開口は観音開き式の透明なガラス扉１０で開閉される。各ガラス扉１０は、開口の周囲に固定された扉枠６０に、ヒンジ７により開閉自在に保持されている。各ガラス扉１０には、取っ手１１が取付けられており、この取っ手１１を持ってガラス扉１０を開閉する。
【００２４】
図１は、本発明の実施の形態に係る冷蔵ショーケース用のガラス扉と扉枠の構造を説明する一部側面断面図である。この図は、ガラス扉の下端と、同下端が当接する扉枠の部分を示す。
まず、ガラス扉（可動部）１０の構造を説明する。
ガラス扉１０は、高断熱性のガラス板２０と、その周囲に配設されたガラスフレーム３０と、から主に構成される。
【００２５】
ガラス板２０は、２枚の透明なガラス板をスペーサを介して対向させ、周縁部を密封してガラス間に密閉空間を形成した複層ガラスである。密閉空間は、真空状態あるいはアルゴンガスなどが封入されている。この複層ガラスは高い断熱性能を有することが知られている。このようなガラス板としては、例えば、複層真空ガラス（スペーシア２１（商品名）、日本板硝子株式会社製、特開２００３−２１２６１１号参照）を使用できる。このガラスの熱貫流率は、例えば０．９Ｗ／ｍ２ｋである。このガラス板２０を使用することにより、ガラス板を加熱するヒータを不要にできる。
【００２６】
ガラスフレーム３０は、図２に示すように、ガラス板２０の上辺と下辺の各々に配設される横フレームと、左右各辺に配設される縦フレームからなり、各フレームはガラス板２０の四隅で連結されている。各フレーム３０は同じ構造であり、グレイジングチャンネル３１を介してガラス板２０の周縁を保持する強度保持部材３３と、同強度保持部材３３の庫外の正面部分を覆う表側樹脂製カバー３５と、同強度保持部材３３の庫内の正面部分を覆う裏側樹脂製カバー３７と、から主に構成される。
【００２７】
グレイジングチャンネル３１は樹脂製の部材であり、硬質のチャンネル部３１ａと、同チャンネル部３１ａの両縁部の軟質の周縁部３３ｂからなる。ガラス板２０の周縁は、このグレイジングチャンネル３１に嵌め込まれている。
強度保持部材３３はアルミニウム製の押出状の部材である。同部材３３は、ガラス板２０の端面と庫外側の外周面を保持する表側部材３３ａと、ガラス板２０の庫内側の外周面を保持する裏側部材３３ｂの２つの部材を組み合わせて形成されている。このように２つの部材で形成することにより、ガラス板２０への取付けを容易に行うことができる。なお、図において表側部材３３ａの内部に設けられているビス３９は、ガラス板２０の四隅で表側部材を連結するための連結部材を固定するためのものである。
【００２８】
表側樹脂カバー３５は、グレイジングチャンネル３１及び強度保持部材３３の庫外の正面部分を完全に覆うように、強度保持部材３３に取り付けられる。
裏側樹脂カバー３７は、強度保持部材３３の庫内の正面部分を完全に覆うように、強度保持部材３３に取り付けられる。ここで、図に示すように、強度保持部材３３の裏側部材３３ｂは、庫内側正面部が裏側樹脂カバー３７で覆われ、上端面がグレイジングチャンネルの周縁部３１ｂで覆われ、庫内側のほとんどの部分が樹脂で覆われて、庫内に露出している部分はごく少ない。
【００２９】
裏側樹脂カバー３７には、マグネットパッキン４１が取り付けられている。マグネットパッキン４１は、樹脂性のパッキンにマグネット片４３を内包させたものである。ガラス扉１０が閉じられると、マグネットパッキン４１は、後述する扉枠６０に設けられた鋼板７１に磁気的に吸着し、ガラス扉１０が閉じた状態に維持される。
【００３０】
次に、扉枠（固定部）６０について説明する。
扉枠６０は、図２に示すように貯蔵庫３の開口の上縁と下縁の各々に固定される横枠部材と、左右の各縁に固定される縦枠部材からなり、各枠部材は開口の四隅で連結されている。各枠部材は同じ形状のアルミニウム製の部材で、ガラス扉１０のフレーム３０が当てられるフレーム受部７０と、貯蔵庫３の開口の周囲に固定される周枠部８０とからなる。
【００３１】
フレーム受部７０は、断面形状がボックス型のほぼ中空状の部分で、庫外側正面部分には、鋼板７１がビス７３で取り付けられている。この鋼板７１には、前述のように、ガラス扉１０のフレーム３０のマグネットパッキン４１が吸着する。フレーム受部７０内の、庫外側及び周枠部側の隅部にはヒータ７５が配置されている。ヒータ７５の容量としては、例えば、ガラス扉面積約２．５ｍ２（２枚扉のもの）で、冷凍ショーケース（−２０℃）の場合は３００Ｗ、冷蔵ショーケース（０℃）の場合は１５０Ｗである。図１において、フレーム受部７０の内部に設けられているビス７７は、貯蔵庫開口の四隅で枠部材を連結するための連結部材を固定するためのものである。
周枠部８０は、フレーム部７０から前方（庫外方向、店舗方向）に延び、先端が外方向に曲げられたプレート状の部分であり、開口の枠にビス等により固定される。図に示すように、周枠部８０は、ガラス扉１０の強度保持部材３３の端面に所定のスペースを開けて対向している。
【００３２】
以上説明したように、このガラス扉１０においては、ガラス板２０を断熱性の高い複層ガラスで作製して、ガラス板２０の結露を防止している。さらに、ガラス扉１０のフレーム３０及び扉枠６０にも、断熱性を持たせる構造となっている。この点を以下に説明する。
【００３３】
このガラス扉１０は、フレーム３０に、熱伝導率の高いアルミニウムで作製された強度保持部材３３を使用している。しかし、同部材３３の庫内側正面部分のほぼ全ての面（図１の右側の面）は、熱伝導率の低い樹脂製のグレイジングチャンネル３１の外縁部３１ｂと、裏側樹脂カバー３７で覆われているので、庫内の冷気に触れ難い構造となっている。また、強度保持部材３３の庫外側の面（図１の左側の面）も、樹脂製の表側カバー３５で覆われている。このため、強度保持部材３３が冷却されたとしても、同カバー３５には冷熱が伝わり難く、フレーム３０の庫外側の面は高い断熱性能を持つことができる。さらに、強度保持部材３３の端面（図１の下側の面）も、扉閉時にはマグネットパッキン４１により庫内から隔てられているが、同端面は、さらに、扉枠６０に内蔵されているヒータ７５により加熱されている。つまり、上述のように、ヒータ７５は、扉枠６０のフレーム受部７０内の、庫外側及び周枠部側の隅部に配置されているため、ヒータ７５により主に周枠部８０が加熱される。ここで加熱された空気は、周枠部８０に対向する、強度保持部材３３の端面に触れ、同端面の冷却を防いでいる。
このような構造により、一例として、フレームの熱伝導率を０．２ｗ／ｍ・ｋ程度まで低くすることができる。
【００３４】
また、扉枠６０も熱伝導率の高いアルミニウムで作製しているが、フレーム受部７０に内蔵したヒータ７５で、庫外へ露出する周枠部８０を加熱している。このように周枠部８０を加熱することにより同部での結露を防止できる。
【００３５】
図３は、本発明の他の実施の形態に係る冷蔵ショーケースの構造を示す正面図である。同図において、右半分のガラス扉は省略されている。
この例の冷蔵ショーケース１´は、ガラス扉１０が上下二段に分割されている。各ガラス扉１０は、貯蔵庫３の開口の周囲に固定された扉枠６０に、ヒンジ７により開閉自在に保持されている。
【００３６】
この冷蔵ショーケースにおいては、扉開放時に庫内の冷却空気の放出を抑えることができ、冷蔵ショーケース１´の冷却装置の省エネ化に効果がある
【図面の簡単な説明】
【００３７】
【図１】本発明の実施の形態に係る冷蔵ショーケース用のガラス扉と扉枠の構造を説明する一部側面断面図である。
【図２】本発明の実施の形態に係る冷蔵ショーケースの全体構成を示す正面図である。
【図３】本発明の他の実施の形態に係る冷蔵ショーケースの構造を示す正面図である。
【符号の説明】
【００３８】
１  冷蔵ショーケース                  ３  貯蔵庫
５  棚                                ７  ヒンジ
１０  ガラス扉                        １１  取っ手
２０  ガラス板（可動部）              ３０  ガラスフレーム
３１  グレイジングチャンネル          ３３  強度保持部材
３５  表側樹脂製カバー                ３７  裏側樹脂製カバー
３９  ビス                            ４１  マグネットパッキン
４３  マグネット片                    ６０  扉枠（固定部）
７０  フレーム受部                    ７１  鋼板
７３  ビス                            ７５  ヒータ
７７  ビス                            ８０  周枠部
【図１】
2007178032.tif 000003
【図２】
2007178032.tif 000004
【図３】
2007178032.tif 000005